(57)【要約】【課題】  液晶装置等の電気光学装置においてノイズの影響を抑制して高画質化を図る。【解決手段】  電気光学装置は、スイッチング素子を駆動して画像表示を行う表示部に対して相展開による駆動制御を行う駆動手段と、相展開用にパラレルなｍ個のデータ系列に分けられ且つ更にデータ系列毎にパラレルにｎ個存在する画像信号を伝送すると共に、基板上においてデータ系列毎にｎ本ずつ系列別信号配線群として束ねられ且つ更に複数の系列別信号配線群が束ねられた状態で、延在する部分を含むｍ×ｎ本の信号配線とを具備する。シールド線が、信号配線が延在する部分で、相隣接する二つの系列別信号配線群の間に夫々、信号配線に沿って形成されている。【選択図】      図１
2006030960.tif 000002
【特許請求の範囲】
【請求項１】
複数の走査線及び複数のデータ線の各交点に対応してスイッチング素子が設けられ、前記データ線に供給される画像信号に基づいて、前記スイッチング素子を駆動して画像表示を行う表示部と、
該表示部に対して、複数の前記スイッチング素子を所定のブロック毎に駆動する相展開による駆動制御を行う駆動手段と、
前記相展開用にパラレルなｍ（但し、ｍは２以上の自然数）個のデータ系列に分けられ且つ更にデータ系列毎にパラレルにｎ（但し、ｎはｍ以下の自然数）個存在する画像信号を伝送すると共に、基板上において前記データ系列毎にｎ本ずつ系列別信号配線群として束ねられ且つ更に複数の前記系列別信号配線群が束ねられた状態で、延在する部分を含むｍ×ｎ本の信号配線と、
該信号配線が延在する部分で、相隣接する二つの前記系列別信号配線群の間に夫々、前記信号配線に沿って形成されるシールド線と
を具備したことを特徴とする電気光学装置。
【請求項２】
前記信号配線は、前記データ系列毎にパラレルにｎ個存在する画像信号として、１画素を構成すると共にｎ色に対応するｎ個のサブピクセルの画像信号を伝送することを特徴とする請求項１に記載の電気光学装置。
【請求項３】
前記シールド線は、前記ｎ色のうちの緑色を除く色に対応するサブピクセルの画像信号を伝送する信号配線に隣接配置されていることを特徴とする請求項２に記載の電気光学装置。
【請求項４】
前記系列別信号配線群の各々における中央側に、前記ｎ色のうち緑色に対応するサブピクセルの画像信号を伝送する信号配線が配置され、
前記系列別信号配線群の各々における一方の端側に、前記ｎ色のうち赤色に対応するサブピクセルの画像信号を伝送する信号配線が配置され、
前記系列別信号配線群の各々における他方の端側に、前記ｎ色のうち青色に対応するサブピクセルの画像信号を伝送する信号配線が配置されている
ことを特徴とする請求項２又は３に記載の電気光学装置。
【請求項５】
前記信号配線は、前記シールド線を挟んで相隣接する二つの前記系列別信号配線群の各々について、前記ｎ色のうち同一色に対応するサブピクセルの画像信号を伝送する信号配線が前記シールド線を挟んで相隣接するように、形成されていることを特徴とする請求項２から４に記載の電気光学装置。
【請求項６】
複数の走査線及び複数のデータ線の各交点に対応してスイッチング素子が設けられ、前記データ線に供給される画像信号に基づいて、前記スイッチング素子を駆動して画像表示を行う表示部と、
該表示部に対して、複数の前記スイッチング素子を所定のブロック毎に駆動する相展開による駆動制御を行う駆動手段と、
前記相展開用にパラレルなｍ（但し、ｍは２以上の自然数）個のデータ系列に分けられ且つ更にデータ系列毎にパラレルにｎ（但し、ｎはｍ以下の自然数）個存在する画像信号を伝送すると共に、基板上において前記データ系列毎にｎ本ずつ系列別信号配線群として束ねられ且つ更に複数の前記系列別信号配線群が束ねられた状態で、延在する部分を含むｍ×ｎ本の信号配線と、
該信号配線から前記複数のデータ線の各々に対応して該信号配線と交差する方向に分岐して前記駆動手段に夫々至ると共に、基板上において前記系列別信号配線群に対応して系列別分岐配線群として束ねられ且つ更に複数の前記系列別分岐配線群が束ねられた状態で、前記駆動手段に向かって延在する部分を含む複数の分岐配線と、
該分岐配線が延在する部分で、相隣接する二つの前記系列別分岐配線群の間に夫々、前記分岐配線に沿って形成されるシールド線と
を具備したことを特徴とする電気光学装置。
【請求項７】
前記分岐配線が延在する部分は、前記表示部が配置された画像表示領域と該画像表示領域の周辺に位置する周辺領域との境界に存在すると共に、前記表示部が持つ電気光学物質を封止するためのシール領域を、通過することを特徴とする請求項６に記載の電気光学装置。
【請求項８】
前記信号配線が延在する部分で、相隣接する二つの前記系列別信号配線群の間に夫々、前記信号配線に沿って形成される他のシールド線を更に具備し、
前記信号配線が延在する部分と前記他のシールド線とから本線部が構成され、
前記分岐配線は、前記本線部における前記信号配線から前記本線部を横切る方向に分岐している信号用中継配線と、前記信号用中継配線と前記データ線との間に接続される信号用引き出し配線とを含み、
前記シールド線は、前記本線部における前記他のシールド線から分岐しているシールド用引き出し配線に接続されている
ことを特徴とする請求項６又は７に記載の電気光学装置。
【請求項９】
前記他のシールド線は複数配列されており、
前記シールド用引き出し配線は、前記複数の他のシールド線のうち前記本線部における最外部寄りに位置するものから分岐している
ことを特徴とする請求項８に記載の電気光学装置。
【請求項１０】
前記他のシールド線は複数配列されており、
前記シールド用引き出し配線は、前記複数の他のシールド線の各々から、前記分岐配線が延在する部分に対応して分岐している
ことを特徴とする請求項８に記載の電気光学装置。
【請求項１１】
前記信号配線、シールド線、信号用引き出し配線及びシールド用引き出し配線は、第１の層に形成され、
前記信号用中継配線は、前記第１の層とは異なる第２の層に形成されることを特徴とする請求項８から１０のいずれか一項に記載の電気光学装置。
【請求項１２】
前記本線部を横切って前記シールド線に接続されて、前記信号用中継配線相互間に配線されるシールド用中継配線を更に具備したことを特徴とする請求項８から１０のいずれか一項に記載の電気光学装置。
【請求項１３】
前記信号配線、シールド線、信号用引き出し配線及びシールド用引き出し配線は、第１の層に形成され、
前記信号用中継配線及び前記シールド用中継配線は、前記第１の層とは異なる第２の層に形成されることを特徴とする請求項１２に記載の電気光学装置。
【請求項１４】
前記信号配線は、前記データ系列毎にパラレルにｎ個存在する画像信号として、１画素を構成すると共にｎ色に対応するｎ個のサブピクセルの画像信号を伝送し、
前記シールド線は、前記ｎ色のうちの緑色を除く色に対応するサブピクセルの画像信号を伝送する分岐配線に隣接配置されていることを特徴とする請求項６から１３のいずれか一項に記載の電気光学装置。
【請求項１５】
前記信号配線は、前記データ系列毎にパラレルにｎ個存在する画像信号として、１画素を構成すると共にｎ色に対応するｎ個のサブピクセルの画像信号を伝送し、
前記系列別分岐配線群の各々における中央側に、前記ｎ色のうち緑色に対応するサブピクセルの画像信号を伝送する分岐配線が配置され、
前記系列別分岐配線群の各々における一方の端側に、前記ｎ色のうち赤色に対応するサブピクセルの画像信号を伝送する分岐配線が配置され、
前記系列別分岐配線群の各々における他方の端側に、前記ｎ色のうち青色に対応するサブピクセルの画像信号を伝送する分岐配線が配置されている
ことを特徴とする請求項６から１４のいずれか一項に記載の電気光学装置。
【請求項１６】
前記信号配線は、前記データ系列毎にパラレルにｎ個存在する画像信号として、１画素を構成すると共にｎ色に対応するｎ個のサブピクセルの画像信号を伝送し、
前記複数の分岐配線は、前記シールド線を挟んで相隣接する二つの前記系列別分岐配線群の各々について、前記ｎ色のうち同一色に対応するサブピクセルの画像信号を伝送する分岐配線が前記シールド線を挟んで相隣接するように、形成されていることを特徴とする請求項６から１５のいずれか一項に記載の電気光学装置。
【請求項１７】
請求項１乃至１６のいずれか一項に記載の電気光学装置を表示手段として用いたことを特徴とする電子機器。
【発明の詳細な説明】
【技術分野】
【０００１】
本発明は、高精細の画像表示を行うものに好適な電気光学装置及び電子機器に関する。
【背景技術】
【０００２】
一般に電気光学装置、例えば、電気光学物質に液晶を用いて所定の表示を行う液晶装置は、一対の基板間に液晶が挟持された構成となっている。このうち、ＴＦＴ（Thin Film Transistor）駆動、ＴＦＤ（Thin Film Diode）駆動等によるアクティブマトリクス駆動方式の液晶装置等の電気光学装置においては、縦横に夫々配列された多数の走査線及びデータ線並びにこれらの各交点に対応して多数の画素電極などがＴＦＴアレイ基板等上に設けられている。
【０００３】
各走査線には、走査線駆動回路から走査信号が順次供給されるようになっている。一方、データ線には、データ線駆動回路により駆動されたサンプリング回路によって画像信号が供給される。即ち、データ線駆動回路は、画像信号線上の画像信号をデータ線毎にサンプリングするサンプリング回路に対して、走査信号の順次供給動作と並行して、サンプリング回路駆動信号を供給するように構成されている。
【０００４】
データ線駆動回路は、一般には、複数のラッチ回路（シフトレジスタ回路）を備え、水平走査期間の最初に供給される転送信号をクロック信号に応じて順次シフトし、これをサンプリング信号として出力するものである。同様に、走査線駆動回路は、複数のラッチ回路を備え、垂直走査期間の最初に供給される転送信号をクロック信号に応じて順次シフトして、これを走査信号として出力するものである。また、サンプリング回路は、各データ線毎に設けられるサンプリング用のスイッチを備え、外部から供給される画像信号を、データ線駆動回路によるサンプリング信号にしたがいサンプリングして、各データ線に供給するものである。
【０００５】
ところで、近年、表示画像の品位の向上という一般的要請に沿うべく画素ピッチの微細化が進められ、駆動周波数も高められてきている。
【０００６】
ところが、上述したように、シフトレジスタ回路から順次出力される転送信号を単純にサンプリング信号として用いる方式のままで駆動周波数を高めると、各サンプリング回路に対して割り当てられるサンプリング時間が短くなる。このため、各サンプリング回路におけるサンプリング能力が不足する結果を招く。これに対し、サンプリング回路を構成するＴＦＴ等のトランジスタ特性自体を高めたり、その各種配線の抵抗や時定数などの配線特性自体を高めるのでは、生産コストの上昇や歩留まりの低下を招いてしまう。
【０００７】
そこで、最近では、ドットクロックの高周波数化に対処すべく、１系統の画像信号を複数のｍ系統にシリアル−パラレル変換する、即ち「相展開」すると共に、これらｍ系統の画像信号をサンプリング信号にしたがって同時にサンプリングして、ｍ本のデータ線に供給する技術が開発されている。即ち、相展開用にパラレルなｍ（但し、ｍは２以上の自然数）個のデータ系列に分けられた画像信号を用いることで、「相展開」による駆動制御を行う技術が開発されている。相展開により分けられるデータ系列数は、例えば６相、１２相、２４相等である。更に、カラーの画像信号を扱う場合には、相展開されたｍ個のデータ系列の画像信号を夫々、ｎ色（但し、ｎは、例えばＲＧＢの３色の場合に３である、ｍ以下の自然数）の場合、パラレルにｎ個存在するカラーの画像信号として構成する。即ち、この場合には、１データ系列の画像信号とは、例えば三つなどｎ個の画像信号の集合を意味することになる。
【０００８】
尚、一般には、例えば、１画素をＲＧＢの３つのピクセル（以下適宜、夫々「サブピクセル」という）で構成してカラー画像表示を行う場合には、カラーの画像信号を、ＲＧＢの３色のパラレルな画像信号に変換する行為を含めて、広義の「相展開」、或いは広義の「シリアル−パラレル変換」と称する場合もある。この場合、同一画素（即ち、同一ピクセル）に係るサブピクセルの画像信号としてのＲＧＢの３色の画像信号を、「異なるデータ系列」の画像信号であるとして概念付けることとなり、相展開或いはシリアル−パラレル変換によって、１個の画像信号は、常に３の倍数個の画像信号に、変換されることになる。
【０００９】
しかしながら、本願明細書では、カラーの画像信号の場合、同一画素に係るサブピクセルの画像信号としてのＲＧＢの３色の画像信号を、「同一のデータ系列」の画像信号であるとして概念付けする。より広範には、本願明細書では、同一画素或いは同一画素群に係るパラレルな画像信号を、「同一のデータ系列」の或いは「１データ系列」の画像信号であるとして概念付けすることとする。即ち、本願明細書では、「相展開」或いは「シリアル−パラレル変換」は、画像信号を、異なる画素に係る画像信号であり且つパラレルな画像信号に変換する行為を意味する。例えば、カラーの画像信号の場合、相展開された後における１データ系列の画像信号は、同一画素に係るサブピクセルの画像信号としてのＲＧＢの３色の画像信号の集合からなる。
【００１０】
なお、相展開については、特許文献１等に開示されている。
【００１１】
【特許文献１】特開２００４−４６２０１号公報
【発明の開示】
【発明が解決しようとする課題】
【００１２】
ところで、近年、画像の高精細化、画素ピッチの微細化も促進されてきており、表示パネル上に多数の走査線及びデータ線を狭ピッチで配線し、これらを高周波数で駆動することが必要となってきている。
【００１３】
しかも、上述した相展開では、表示パネル内の画像信号線の数を相展開の数だけ増やす必要がある。特に、１画素を例えばＲＧＢの３つのサブピクセルで構成してカラー画像表示を可能にするには、１画素あたり３本の画像信号線が必要となり、相展開数×３の画像信号線を引き回す必要がある。
【００１４】
このように、相展開を行うために基板上に引き回す画像信号線の本数が増大し、更に、サブピクセルの画像信号など、同一画素に対して複数の画像信号を扱う場合には、より一層、基板上に引き回す画像信号線の本数が増大する。また画像信号の上又は下を交差させる必要のあるサンプリング回路駆動信号線の配線等も複雑化する。
【００１５】
このため、隣接信号線の影響によるノイズを無視することができなくなってきたという問題がある。
【００１６】
本発明はかかる問題点に鑑みてなされたものであって、相展開による駆動制御を行いつつ、画像信号におけるノイズの影響を抑制し、高品位の画像表示を可能にすることができる電気光学装置及び電子機器を提供することを課題とする。
【課題を解決するための手段】
【００１７】
本発明に係る第１の電気光学装置は上記課題を解決するために、複数の走査線及び複数のデータ線の各交点に対応してスイッチング素子が設けられ、前記データ線に供給される画像信号に基づいて、前記スイッチング素子を駆動して画像表示を行う表示部と、該表示部に対して、複数の前記スイッチング素子を所定のブロック毎に駆動する相展開による駆動制御を行う駆動手段と、前記相展開用にパラレルなｍ（但し、ｍは２以上の自然数）個のデータ系列に分けられ且つ更にデータ系列毎にパラレルにｎ（但し、ｎはｍ以下の自然数）個存在する画像信号を伝送すると共に、基板上において前記データ系列毎にｎ本ずつ系列別信号配線群として束ねられ且つ更に複数の前記系列別信号配線群が束ねられた状態で、延在する部分を含むｍ×ｎ本の信号配線と、該信号配線が延在する部分で、相隣接する二つの前記系列別信号配線群の間に夫々、前記信号配線に沿って形成されるシールド線とを具備する。
【００１８】
本発明に係る第１の電気光学装置によれば、その動作時には、例えば外部回路から外部回路接続端子を介して、相展開用にパラレルなｍ個のデータ系列に分けられ且つ更にデータ系列毎にパラレルにｎ個存在する、総個数でｍ×ｎ個の画像信号が供給される。例えば、１画素をＲＧＢの３つのサブピクセルで構成してカラー画像表示を行う場合には、ｎ＝３でありので、相展開数ｍが４、８、１６、…の場合には夫々、４×３個、８×３個、１６×３個、…などのパラレルなカラーの画像信号が供給される。すると、このようなパラレルなｍ×ｎ個の画像信号は、当該電気光学装置を構成する、例えばＴＦＴアレイ基板或いは素子基板等である基板上に配線されたｍ×ｎ本の信号配線によって夫々伝送される。
【００１９】
このようにｍ×ｎ個の画像信号が供給されると、例えばデータ線駆動回路等の駆動手段によって、複数のスイッチング素子を、各データ系列に対応して所定のブロック毎に駆動する相展開による駆動制御が、表示部に対して行われる。すると、表示部では、信号配線を介してデータ線に供給される画像信号に基づいて、スイッチング素子が駆動され、例えばアクティブマトリクス駆動方式による画像表示が行われる。
【００２０】
ここで特に、ｍ×ｎ本の信号配線は、基板上においてデータ系列毎にｎ本ずつ系列別信号配線群として束ねられており、更にこれら複数の系列別信号配線群が束ねられた状態で、延在する部分を含む。延在する部分は、直線的に帯状に延在してもよいし、一又は複数個所で、折れ曲がって延在してもよい。いずれにせよ、典型的には、基板上に束ねられる信号配線は、基板上で平面的に見て、所定の配線ピッチで、相互に平行に延在している。尚、本発明に係る「信号配線が延在する方向」は、例えば素子基板上で、外部回路接続端子が設けられた辺に平行な方向である。
【００２１】
このような信号配線が延在する部分で、相隣接する二つの系列別信号配線群の間には夫々、シールド線が信号配線に沿って形成されている。言い換えれば、基板上で平面的に見て、相隣接する二つの系列別信号配線群の境界には、境界に沿ってシールド線が設けられている。そして、このような信号配線群の境界以外には、好ましくは、信号配線をシールドするためのシールド線が、殆ど又は全く設けられていない。
【００２２】
従って、上述したアクティブマトリクス駆動の如き動作中、同一データ系列に属するｎ個の画像信号同士の間で、シールド線による電磁シールドは行われること無く、異なるデータ系列に属する画像信号同士の間で、シールド線による電磁シールドが行われることになる。しかるに、同一データ系列に属するｎ個の画像信号同士の間では、信号の内容は、基本的に類似しており、例えば同一画素に係るサブピクセルの画像信号の場合に色成分が異なるだけなど、一成分或いは部分的に異なるだけである。このため、同一データ系列に属するｎ個の画像信号同士の間であれば、相互に電磁ノイズとして悪影響を及ぼすことが基本的に殆ど無い。加えて、例えば一画素を構成するサブピクセル間という画像表示領域内で近接した表示領域部分間での電磁ノイズによる悪影響或いは相互干渉であれば、視覚上で顕在化することは殆ど無い。従って、同一ピクセル内での画像信号間における小さな相互干渉を許容しつつ、異なるピクセル間における大きな相互干渉を、シールド線によって効率的に排除できる。
【００２３】
仮に、全ての信号配線間にシールド線を配置した場合には、電磁シールドの作用効果は大きく期待できるものの、基板上におけるシールド線及び信号配線の本数や占有領域は非常に大きなものとなり、基板や装置構成の大型化及び複雑化を招く。しかるに、本発明によれば、概ね信号配線群の境界のみにシールド線を配置することで、このような事態を回避可能としているのである。
【００２４】
以上のように、相展開による駆動制御を行いつつ、相展開の１データ系列を伝送する信号配線毎に、信号配線に沿ってシールド線が形成され、異なるデータ系列の画像信号を伝送する信号配線同士の間にはシールド線が設けられており、異なるデータ系列の画像信号によるノイズの影響を、比較的少ないシールド線数で効果的に回避することができ、微細化と高画質化とを同時に満足することができる。
【００２５】
本発明に係る第１の電気光学装置の一態様では、前記信号配線は、前記データ系列毎にパラレルにｎ個存在する画像信号として、１画素を構成すると共にｎ色に対応するｎ個のサブピクセルの画像信号を伝送する。
【００２６】
この態様によれば、各画素は、例えばＲＧＢ別の３個など、ｎ個のサブピクセルの画像信号に基づいて駆動される。これらの同一画素に係るサブピクセルの画像信号を伝送する信号配線群毎に、シールド線が設けられており、各画素が他の画素のノイズの影響によって劣化することを防止することができる。
【００２７】
このサブピクセルに係る態様では、前記シールド線は、前記ｎ色のうちの緑色を除く色に対応するサブピクセルの画像信号を伝送する信号配線に隣接配置されてよい。
【００２８】
このように構成すれば、視覚上で電磁ノイズによる悪影響を、相対的に顕在化させ易い「緑色」に係る信号配線については、シールド線から離れて配置される。即ち、本質的に電磁ノイズによる悪影響が出易い「緑色」に係る信号配線については、基板上で平面的に見て、自らと異なるデータ系列の信号配線群から、シールド線に加えて他の信号配線を間に挟んで、比較的大きく離れて配置される。そして、視覚上で電磁ノイズによる悪影響を相対的に顕在化させ難い、緑色以外の例えば「赤色」、「青色」等に係る信号配線については、シールド線に隣接して配置される。即ち、赤色等に係る信号配線については、シールド線のみを挟んで自らと異なる信号配線群に隣接するが、シールド線により電磁シールドされるので、結局、電磁ノイズによる悪影響は、殆ど生じない。
【００２９】
このように、異なるデータ系列の２つの緑の画像信号を伝送する信号配線相互間にはシールド線が設けられるので、ノイズ源となりやすい緑の画像信号による悪影響を回避して、高画質化を図ることができる。
【００３０】
このサブピクセルに係る態様では、前記系列別信号配線群の各々における中央側に、前記ｎ色のうち緑色に対応するサブピクセルの画像信号を伝送する信号配線が配置され、前記系列別信号配線群の各々における一方の端側に、前記ｎ色のうち赤色に対応するサブピクセルの画像信号を伝送する信号配線が配置され、前記系列別信号配線群の各々における他方の端側に、前記ｎ色のうち青色に対応するサブピクセルの画像信号を伝送する信号配線が配置されてよい。
【００３１】
このように構成すれば、電磁ノイズによる悪影響を相対的に顕在化させ易い「緑色」に係る信号配線については、各信号配線群の中央側に配置されるので、当該「緑色」に係る信号配線とこれと異なるデータ系列の信号配線群との間には、シールド線に加えて「青色」又は「赤色」に係る信号配線が、存在することになる。これにより、電磁ノイズの悪影響を、比較的簡単な構成によって効率的に低減できる。
【００３２】
このサブピクセルに係る態様では、前記信号配線は、前記シールド線を挟んで相隣接する二つの前記系列別信号配線群の各々について、前記ｎ色のうち同一色に対応するサブピクセルの画像信号を伝送する信号配線が前記シールド線を挟んで相隣接するように、形成されてよい。
【００３３】
このように構成すれば、一の信号配線群とこれに隣接する他の信号配線群との境界においては、シールド線を挟んで、例えば、「青色」に係る信号配線同士が面するか又は「赤色」に係る信号配線同士が面することになる。ここで特に、異なるデータ系列の信号配線群であっても、同一色の画像信号同士であれば、相互の電磁ノイズによる悪影響は、視覚上で相対的に顕在化し難い。逆に言えば、異なるデータ系列の信号配線群であって、異なる色の画像信号同士であれば、相互の電磁ノイズによる悪影響は、視覚上で相対的に顕在化し易い。従って、シールド線を挟んで、同一色に係る信号配線が相対面する本態様の如き構成は、電磁ノイズの悪影響を効率的に低減する上で大変有利である。
【００３４】
本発明に係る第２の電気光学装置は上記課題を解決するために、複数の走査線及び複数のデータ線の各交点に対応してスイッチング素子が設けられ、前記データ線に供給される画像信号に基づいて、前記スイッチング素子を駆動して画像表示を行う表示部と、該表示部に対して、複数の前記スイッチング素子を所定のブロック毎に駆動する相展開による駆動制御を行う駆動手段と、前記相展開用にパラレルなｍ（但し、ｍは２以上の自然数）個のデータ系列に分けられ且つ更にデータ系列毎にパラレルにｎ（但し、ｎはｍ以下の自然数）個存在する画像信号を伝送すると共に、基板上において前記データ系列毎にｎ本ずつ系列別信号配線群として束ねられ且つ更に複数の前記系列別信号配線群が束ねられた状態で、延在する部分を含むｍ×ｎ本の信号配線と、該信号配線から前記複数のデータ線の各々に対応して該信号配線と交差する方向に分岐して前記駆動手段に夫々至ると共に、基板上において前記系列別信号配線群に対応して系列別分岐配線群として束ねられ且つ更に複数の前記系列別分岐配線群が束ねられた状態で、前記駆動手段に向かって延在する部分を含む複数の分岐配線と、該分岐配線が延在する部分で、相隣接する二つの前記系列別分岐配線群の間に夫々、前記分岐配線に沿って形成されるシールド線とを具備する。
【００３５】
本発明に係る第２の電気光学装置によれば、上述した第１の電気光学装置の場合と同様に動作し、例えばアクティブマトリクス駆動方式による画像表示が行われる。
【００３６】
ここで特に、複数の分岐配線は、ｍ×ｎ本の信号配線から複数のデータ線の各々に対応して、信号配線と交差する方向に分岐して駆動手段に夫々至り、更に、複数の分岐配線は、複数の系列別分岐配線群が束ねられた状態で、駆動手段に向かって延在する部分を含む。延在する部分は、直線的に帯状に延在してもよいし、一又は複数個所で、折れ曲がって延在してもよい。いずれにせよ、典型的には、基板上に束ねられる分岐配線は、基板上で平面的に見て、所定の配線ピッチで、相互に平行に延在している。尚、本発明に係る「分岐配線が延在する方向」は、例えば素子基板上で、外部回路接続端子が設けられた辺に直角な方向である。
【００３７】
このような分岐配線が延在する部分で、相隣接する二つの系列別分岐配線群の間には夫々、シールド線が分岐配線に沿って形成されている。言い換えれば、基板上で平面的に見て、相隣接する二つの系列別分岐配線群の境界には、境界に沿ってシールド線が設けられている。そして、このような分岐配線群の境界以外には、好ましくは、分岐配線をシールドするためのシールド線が、殆ど又は全く設けられていない。
【００３８】
従って、上述したアクティブマトリクス駆動の如き動作中、同一データ系列に属するｎ個の画像信号同士の間で、シールド線による電磁シールドは行われること無く、異なるデータ系列に属する画像信号同士の間で、シールド線による電磁シールドが行われることになる。しかるに、同一データ系列に属するｎ個の画像信号同士の間では、信号の内容は、基本的に類似しており、例えば同一画素に係るサブピクセルの画像信号の場合に色成分が異なるだけなど、一成分或いは部分的に異なるだけである。このため、同一データ系列に属するｎ個の画像信号同士の間であれば、相互に電磁ノイズとして悪影響を及ぼすことが基本的に殆ど無い。加えて、例えば一画素を構成するサブピクセル間という画像表示領域内で近接した表示領域部分間での電磁ノイズによる悪影響或いは相互干渉であれば、視覚上で顕在化することは殆ど無い。従って、同一ピクセル内での画像信号間における小さな相互干渉を許容しつつ、異なるピクセル間における大きな相互干渉を、シールド線によって効率的に排除できる。
【００３９】
仮に、全ての分岐配線間にシールド線を配置した場合には、電磁シールドの作用効果は大きく期待できるものの、基板上におけるシールド線及び分岐配線の本数や占有領域は非常に大きなものとなり、基板や装置構成の大型化及び複雑化を招く。しかるに、本発明によれば、概ね分岐配線群の境界のみにシールド線を配置することで、このような事態を回避可能としているのである。
【００４０】
以上のように、相展開による駆動制御を行いつつ、相展開の１データ系列を伝送する分岐配線毎に、分岐配線に沿ってシールド線が形成され、異なるデータ系列の画像信号を伝送する分岐配線同士の間にはシールド線が設けられており、異なるデータ系列の画像信号によるノイズの影響を、比較的少ないシールド線数で効果的に回避することができ、微細化と高画質化とを同時に満足することができる。
【００４１】
本発明に係る第２の電気光学装置の一態様では、前記分岐配線が延在する部分は、前記表示部が配置された画像表示領域と該画像表示領域の周辺に位置する周辺領域との境界に存在すると共に、前記表示部が持つ電気光学物質を封止するためのシール領域を、通過する。
【００４２】
この態様によれば、当該電気光学装置は、例えば一対の基板間に電気光学物質の一例たる液晶が封入されてなり、分岐配線は、例えば素子基板上で平面的に見て、そのシール領域を通過する部分を含む。従って、シール領域の幅に応じて、分岐配線は長くなり、その電磁ノイズ対策の重要性は増すことになる。しかるに、係るシール領域においては、シールド線が通過する部分に沿って形成されているので、比較的少ないシールド線数によって、一層効率的に微細化と高画質化とを同時に満足することができる。
【００４３】
本発明に係る第２の電気光学装置の他の態様では、前記信号配線が延在する部分で、相隣接する二つの前記系列別信号配線群の間に夫々、前記信号配線に沿って形成される他のシールド線を更に具備し、前記信号配線が延在する部分と前記他のシールド線とから本線部が構成され、前記分岐配線は、前記本線部における前記信号配線から前記本線部を横切る方向に分岐している信号用中継配線と、前記信号用中継配線と前記データ線との間に接続される信号用引き出し配線とを含み、前記シールド線は、前記本線部における前記他のシールド線から分岐しているシールド用引き出し配線に接続されている。
【００４４】
この態様によれば、信号本線を含んでなる本線部には、上述した本発明の第１の電気光学装置に係るシールド線と同様である「他のシールド線」が設けられている。そして、この本千部から分岐した分岐配線については、本発明の第２の電気光学装置に係るシールド線が設けられている。従って、本線部から分岐配線にかけての電磁シールドを、より完璧に近い形で行うことが可能となる。
【００４５】
この態様では、前記他のシールド線は複数配列されており、前記シールド用引き出し配線は、前記複数の他のシールド線のうち前記本線部における最外部寄りに位置するものから分岐してよい。
【００４６】
このように構成すれば、本線部の最外部又は最外部に最も近い「他のシールド線」から分岐したシールド用引き出し配線によって、信号用引き出し配線を伝送される画像信号に対する電磁ノイズの悪影響を低減できる。
【００４７】
或いはこの態様では、前記他のシールド線は複数配列されており、前記シールド用引き出し配線は、前記複数の他のシールド線の各々から、前記分岐配線が延在する部分に対応して分岐してよい。
【００４８】
このように構成すれば、複数設けられた「他のシールド線」の各々から、分岐配線が延在する部分に対応して分岐したシールド用引き出し配線によって、信号用引き出し配線を伝送される画像信号に対する電磁ノイズの悪影響を低減できる。
【００４９】
上述した他のシールド線に係る態様では、前記信号配線、シールド線、信号用引き出し配線及びシールド用引き出し配線は、第１の層に形成され、前記信号用中継配線は、前記第１の層とは異なる第２の層に形成されてよい。
【００５０】
このような構成によれば、本線部を横切って信号用中継配線を形成することが可能となる。
【００５１】
或いはこの他のシールド配線に係る態様では、前記本線部を横切って前記シールド線に接続されて、前記信号用中継配線相互間に配線されるシールド用中継配線を更に具備してよい。
【００５２】
このような構成によれば、信号用中継配線相互間のノイズの影響を回避することができ、一層高画質化を図ることができる。
【００５３】
この場合更に、前記信号配線、シールド線、信号用引き出し配線及びシールド用引き出し配線は、第１の層に形成され、前記信号用中継配線及び前記シールド用中継配線は、前記第１の層とは異なる第２の層に形成されてもよい。
【００５４】
このような構成によれば、本線部を横切って信号用中継配線及びシールド用中継配線を形成することを可能にする。
【００５５】
本発明に係る第２の電気光学装置の他の態様では、前記信号配線は、前記データ系列毎にパラレルにｎ個存在する画像信号として、１画素を構成すると共にｎ色に対応するｎ個のサブピクセルの画像信号を伝送し、前記シールド線は、前記ｎ色のうちの緑色を除く色に対応するサブピクセルの画像信号を伝送する分岐配線に隣接配置されている。
【００５６】
この態様によれば、各画素は、例えばＲＧＢ別の３個など、ｎ個のサブピクセルの画像信号に基づいて駆動される。これらの同一画素に係るサブピクセルの画像信号を伝送する分岐配線群毎に、シールド線が設けられており、各画素が他の画素のノイズの影響によって劣化することを防止することができる。このように、異なるデータ系列の２つの緑の画像信号を伝送する分岐配線相互間にはシールド線が設けられるので、ノイズ源となりやすい緑の画像信号による悪影響を回避して、高画質化を図ることができる。
【００５７】
このサブピクセルに係る態様では、前記信号配線は、前記データ系列毎にパラレルにｎ個存在する画像信号として、１画素を構成すると共にｎ色に対応するｎ個のサブピクセルの画像信号を伝送し、前記系列別分岐配線群の各々における中央側に、前記ｎ色のうち緑色に対応するサブピクセルの画像信号を伝送する分岐配線が配置され、前記系列別分岐配線群の各々における一方の端側に、前記ｎ色のうち赤色に対応するサブピクセルの画像信号を伝送する分岐配線が配置され、前記系列別分岐配線群の各々における他方の端側に、前記ｎ色のうち青色に対応するサブピクセルの画像信号を伝送する分岐配線が配置されている。
【００５８】
このように構成すれば、電磁ノイズによる悪影響を相対的に顕在化させ易い「緑色」に係る分岐配線については、各分岐配線群の中央側に配置されるので、当該「緑色」に係る分岐配線とこれと異なるデータ系列の分岐配線群との間には、シールド線に加えて「青色」又は「赤色」に係る分岐配線が、存在することになる。これにより、電磁ノイズの悪影響を、比較的簡単な構成によって効率的に低減できる。
【００５９】
本発明に係る第２の電気光学装置の他の態様では、前記信号配線は、前記データ系列毎にパラレルにｎ個存在する画像信号として、１画素を構成すると共にｎ色に対応するｎ個のサブピクセルの画像信号を伝送し、前記複数の分岐配線は、前記シールド線を挟んで相隣接する二つの前記系列別分岐配線群の各々について、前記ｎ色のうち同一色に対応するサブピクセルの画像信号を伝送する分岐配線が前記シールド線を挟んで相隣接するように、形成されている。
【００６０】
このように構成すれば、一の分岐配線群とこれに隣接する他の分岐配線群との境界においては、シールド線を挟んで、例えば、「青色」に係る分岐配線同士が面するか又は「赤色」に係る分岐配線同士が面することになる。ここで特に、異なるデータ系列の分岐配線群であっても、同一色の画像信号同士であれば、相互の電磁ノイズによる悪影響は、視覚上で相対的に顕在化し難い。逆に言えば、異なるデータ系列の分岐配線群であって、異なる色の画像信号同士であれば、相互の電磁ノイズによる悪影響は、視覚上で相対的に顕在化し易い。従って、シールド線を挟んで、同一色に係る分岐配線が相対面する本態様の如き構成は、電磁ノイズの悪影響を効率的に低減する上で大変有利である。
【００６１】
本発明に係る電子機器は、上記電気光学装置（但し、その各種態様を含む）を表示手段として用いる。
【００６２】
本発明の電子機器は、上述した本発明の電気光学装置を具備してなるので、高品質な画像表示を行うことが可能な、単板式の投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００６３】
本発明のこのような作用及び他の利得は次に説明する実施の形態から明らかにされる。
【発明を実施するための最良の形態】
【００６４】
以下、本発明の実施の形態について図面を参照して詳細に説明する。
【００６５】
（第１の実施形態）
先ず、第１の実施形態について図１から図６を参照して説明する。図１は本発明の第１の実施の形態に係る電気光学装置に採用される配線レイアウトを示す説明図である。図２は本実施の形態の電気光学装置の構成を示すブロック図である。本実施の形態は電気光学装置として液晶を用いた液晶装置を例に示している。また、図３は図２中の液晶パネル１００の構成を示す斜視図であり、図４は図３のＡ−Ａ'断面図である。
【００６６】
先ず、図２乃至図４を参照して電気光学装置の構成について説明する。
【００６７】
図２に示すように、液晶装置は、表示部としての液晶パネル１００と、タイミングジェネレータ２００と、画像信号処理回路３００とを備える。タイミングジェネレータ２００は、各部で使用されるタイミング信号や制御信号などを出力するものである。また、画像信号処理回路３００内部におけるＳ／Ｐ（Serial to Parallel）変換回路３０２は、１系統の画像信号Ｖｉｄｅｏを入力すると、相展開による書き込みを行うために、６系列の画像信号にシリアル−パラレル変換して出力する。ここで、画像信号を６系列にシリアル−パラレル変換する理由は、サンプリング回路１５０において、サンプリング用のスイッチ１５１を構成するＴＦＴのソース領域への画像信号の印加時間を長くして、サンプリング時間及び充放電時間を十分に確保するためである。言い換えれば、サンプリング回路１５０に係る駆動周波数が極端に高くなってしまうことを回避するためである。
【００６８】
尚、本実施形態では特に、入力時に１系統の画像信号Ｖｉｄｅｏは、１画素をＲＧＢの３つのサブピクセルで構成してカラー画像表示を行う用の画像信号であり、画像信号処理回路３００に入力される際に既に、３個のパラレルな画像信号から構成されている。或いは、１系統の画像信号Ｖｉｄｅｏとして、ＲＧＢの３つのサブピクセルに係る画像信号がシリアルに入力されるのであれば、画像信号処理回路３００内でのデマルチプレクス処理によって、画像信号処理回路３００から出力される際に、データ系列毎に３個のパラレルな画像信号として出力される。いずれにせよ、１画素をＲＧＢの３つのサブピクセルで構成してカラー画像表示を行うことが可能なように、画像信号処理回路３００からは、相展開用にパラレルなｍ個のデータ系列に分けられ且つ更にデータ系列毎にパラレルにｎ個存在する、総個数でｍ×ｎ個のカラー画像信号が出力される。
【００６９】
図２では説明の便宜上、画像信号処理回路３００から出力される画像信号を、６系列の画像信号ＶＩＤ１〜ＶＩＤ６で総括して示しているが、実際には本例では、ｍ＝６且つｎ＝３である。即ち、６系列に相展開された画像信号ＶＩＤ１〜ＶＩＤ６は夫々、ＲＧＢ別に３個のパラレルな画像信号から構成されている。言い換えれば、画像信号ＶＩＤ１〜ＶＩＤ６は夫々、３本の信号配線を介して供給され、全体としては、３×６＝１８本の画像信号線からなる配線部１０を介して供給されることになる。このような１８本の画像信号線等に係る実際の配線レイアウトについては、後で詳述する（図１、図５等参照）
増幅・反転回路３０４は、シリアル−パラレル変換された画像信号のうち、反転が必要となるものを反転させ、この後、適宜、増幅して画像信号として液晶パネル１００に対し並列的に供給するものである。なお、反転するか否かについては、一般には、データ信号の印加方式が走査線１１２単位の極性反転であるか、データ線１１４単位の極性反転であるか、画素単位の極性反転であるかに応じて定められ、その反転周期は、１水平走査期間またはドットクロック周期に設定される。
【００７０】
なお、極性反転とは、画像信号の振幅中心電位を基準として正極性と負極性に交互に電圧レベルを反転させることをいう。例えば、後述する対向電極の電位或いは共通電位を基準電位として、その正側及び負側に反転させる。尚、接地電位或いはグランド電位を基準電位として、正負に反転させてもよい。また、６系列の画像信号ＶＩＤ１〜ＶＩＤ６を液晶パネル１００に供給するタイミングは、図２に示す液晶装置では同時とするが、ドットクロックに同期して順次ずらしてもよく、この場合は後述するサンプリング回路にて６系列の画像信号を順次サンプリングする構成となる。
【００７１】
図２は、表示パネル１００の駆動に６相展開を採用した例を示している。この場合には、サンプリング回路１５０は、６画素（ピクセル）分である、６（即ち、データ系列数）×３（即ち、サブピクセル数）＝１８本のデータ線１１４を１群（ブロック）とし、これらの群に属するデータ線１１４に対し、サンプリング信号Ｑ１、…Ｑｎのうち対応する一つにしたがって、画像信号を同時にサンプリングして供給する。詳細には、サンプリング回路１５０は、各データ線１１４毎に設けられるスイッチ１５１からなり、各スイッチ１５１は、データ線１１４の一端と、画像信号のいずれかが供給される信号線との間に介挿されると共に、そのゲートにサンプリング信号Ｑ１、…Ｑｎが供給される構成となっている。
【００７２】
液晶パネル１００は、カラー表示を可能にするために、各画素（ピクセル）は３原色信号（Ｒ，Ｇ，Ｂ信号）で相互に独立に制御可能な３つのサブピクセル（Ｒ，Ｇ，Ｂサブピクセル）によって構成される。画像信号処理回路３００からの６系列の画像信号ＶＩＤ１〜ＶＩＤ６は夫々、Ｒ，Ｇ，Ｂサブピクセルに係る三つの画像信号を含む。
【００７３】
なお、各系列の画像信号ＶＩＤ１〜ＶＩＤ６について、サブピクセルの信号を区別する場合には、６系列×ＲＧＢ３サブピクセル分の１８種類の画像信号を画像信号ＶＩＤ１−Ｒ，ＶＩＤ１−Ｇ，ＶＩＤ１−Ｂ、ＶＩＤ２−Ｒ，…，ＶＩＤ６−Ｒ，ＶＩＤ６−Ｇ，ＶＩＤ６−Ｂと表記するものとする。画像信号処理回路３００からは、１８種類の画像信号をパラレルに転送する１８本の信号配線を含む配線部１０を介して、１８種類の画像信号がサンプリング回路１５０にパラレルに供給されるようになっている。
【００７４】
駆動手段としての駆動回路１２０は、少なくとも走査線駆動回路１３０、データ線駆動回路１４０及びサンプリング回路１５０からなる。駆動回路１２０の構成素子は、画素を駆動するＴＦＴ１１６と共通の製造プロセスで形成されるＰチャネル型ＴＦＴ及びＮチャネル型ＴＦＴを組み合わせて構成されるため、製造効率の向上や、製造コストの低下、素子特性の均一化などが図られている。
【００７５】
データ線駆動回路１４０は、水平走査期間の最初に供給される転送開始パルスＤＸ−Ｒ又はＤＸ−Ｌを、クロック信号ＣＬＸ及びその反転クロック信号ＣＬＸinvにしたがって順次シフトすることによって、サンプリング信号Ｑ１、…Ｑｎを所定の順番で出力するものである。データ線駆動回路１４０に供給されるクロック信号ＣＬＸ、その反転クロック信号ＣＬＸinv、転送開始パルスＤＸ−Ｒ（ＤＸ−Ｌ）及びイネーブル信号（パルス幅制限信号）ＥＮＢ１、ＥＮＢ２は、いずれもタイミングジェネレータ２００によって、画像信号ＶＩＤ１〜ＶＩＤ６と同期して供給されるものである。
【００７６】
なお、水平走査方向が右方向である場合には、水平走査期間の最初に転送開始パルスＤＸ−Ｒが供給されると共に、転送制御信号Ｒがアクティブとされる。一方、水平走査方向が左方向である場合には、水平走査期間の最初に転送開始パルスＤＸ−Ｌが供給されると共に、転送制御信号Ｌがアクティブとされる。このように本実施形態では、データ線駆動回路１４０は、双方向型である。但し、いずれかの転送開始パルスＤＸ−Ｒ又はＤＸ−Ｌのみに適用した片方向型であってもかまわない。
【００７７】
走査線駆動回路１３０は、出力信号の引き出し方向と、入力される信号とが異なり、駆動周波数が異なる以外、基本的にデータ線駆動回路１４０の構成と同様である。すなわち、走査線駆動回路１３０は、データ線駆動回路１４０を９０度左回転して配置したものであり、図２に示すように、パルスＤＸ−Ｒ（ＤＸ−Ｌ）及び転送制御信号Ｒ（Ｌ）の代わりに、パルスＤＹ−Ｄ（ＤＹ−Ｕ）及び転送制御信号Ｄ（Ｕ）を入力すると共に、クロック信号ＣＬＸ及びその反転クロック信号ＣＬＸinvの代わりに、水平走査期間毎に、クロック信号ＣＬＹ及びその反転クロック信号ＣＬＹinvを入力する構成となっている。これにより、走査線駆動回路１３０は、走査信号Ｙ１、…、Ｙｍを線順次で出力する。
【００７８】
なお、垂直走査方向が下方向である場合には、垂直走査期間の最初にパルスＤＹ−Ｄが供給されると共に、転送制御信号Ｄがアクティブとされる。一方、垂直走査方向が上方向である場合には、垂直走査期間の最初にパルスＤＹ−Ｕが供給されると共に、転送制御信号Ｕがアクティブとされる。このように本実施形態では、走査線駆動回路１３０は、双方向型である。但し、いずれかの転送開始パルスＤＹ−Ｄ又はＤＹ−Ｕのみに適用した片方向型であってもかまわない。
【００７９】
また、クロック信号ＣＬＹと、その反転信号ＣＬＹinvと、パルスＤＹ−Ｕ（又はＤＹ−Ｄ）とは、図２におけるタイミングジェネレータ２００によって、画像信号ＶＩＤ１〜ＶＩＤ６と同期して供給されるものであり、さらに、これらの信号と、転送制御信号Ｒ（Ｌ）とは、いずれも、図示しないレベルシフタによって高論理振幅の信号に変換されたものである。
【００８０】
図３は図２中の液晶パネル１００の構成を示す斜視図であり、図４は図３のＡ−Ａ'線の断面図である。
【００８１】
液晶パネル１００は、各種素子や画素電極１１８等が形成された素子基板１０１と、対向電極１０８等が設けられた対向基板１０２とが、スペーサ１０３を含むシール材１０４によって一定の間隙を保って、互いに電極形成面が対向するように貼り合わせられると共に、この間隙に電気光学物質として例えばＴＮ（Twisted Nematic）型の液晶１０５が封入された構成となっている。
【００８２】
素子基板１０１には、ガラスや、半導体、石英などが用いられるが、対向基板１０２には、ガラスなどが用いられる。なお、素子基板１０１に不透明な基板が用いられる場合には、透過型ではなく反射型として用いられることとなる。また、シール材１０４は、対向基板１０２の周辺に沿って形成されるが、液晶１０５を封入するために一部が開口している。このため、液晶１０５の封入後に、その開口部分が封止材１０６によって封止されている。
【００８３】
次に、素子基板１０１の対向面であって、シール材１０４の外側一辺の領域においては、データ線駆動回路１４０が形成されて、サンプリング信号を出力する構成となっている。さらに、このデータ線駆動回路１４０が形成された一辺においてシール材１０４が形成される近傍の領域には、画像信号線を含んでなる配線部１０（図２参照）やサンプリング回路１５０などが形成されている。一方、この一辺の外周部分には、複数の実装端子１０７が形成されて、外部回路（例えば図２の画像信号処理回路３００）から各種信号を入力する構成となっている。
【００８４】
また、この一辺に隣接する２辺の領域には夫々、走査線駆動回路１３０が形成されて、走査線を両側から駆動する構成となっている。なお、走査線に供給される走査信号の遅延が問題にならないのであれば、走査線駆動回路１３０を片側１個だけに形成する構成でもよい。
【００８５】
一方、対向基板１０２に設けられる対向電極１０８は、素子基板１０１との貼合部分における４隅のうち少なくとも一ヶ所において上下導通材により、素子基板１０１と電気的に接続される構成となっている。ほかに、対向基板１０２には、特に図示はしないが、画素電極１１８と対向する領域に、着色層（カラーフィルタ）が設けられる。着色層（カラーフィルタ）は素子基板１０１側に設けても良いことは言うまでもない。
【００８６】
素子基板１０１及び対向基板１０２の対向面には、ラビング処理された配向膜（図４では省略）が設けられる。また、素子基板１０１及び対向基板１０２の各背面側には配向膜の配向方向に応じた偏光子（図示省略）が夫々設けられる。なお、図４においては、対向電極１０８や、画素電極１１８、実装端子１０７等には厚みを持たせているが、これは、形成位置を示すための便宜的な措置であり、実際には、基板に対して充分に無視できるほど薄い。
【００８７】
液晶パネル１００は、素子基板にあっては、図２に示すように、Ｘ方向に沿って平行に複数本の走査線１１２が配列して形成され、また、これと直交するＹ方向に沿って平行に複数本のデータ線１１４が形成されている。そして、これらの走査線１１２とデータ線１１４との各交点においては、各サブピクセル部７０を制御するためのスイッチたるＴＦＴ１１６のゲート電極が走査線１１２に接続される一方、ＴＦＴ１１６のソース電極がデータ線１１４に接続されると共に、ＴＦＴ１１６のドレイン電極が画素電極１１８に接続されている。画素電極１１８は、サブピクセル部７０毎に対向基板に形成された共通電極との間で、液晶容量１１８ｃを構成する。これらの結果、走査線１１２とデータ線１１４との各交点に対応して、夫々マトリクス駆動可能なサブピクセル部７０が、画像表示領域にマトリクス状に配列されることとなる。なお、各サブピクセル部には、これらの他に、蓄積容量１１９が、液晶容量１１８ｃと並列に形成されている。
【００８８】
図１は、図２から図４を参照して説明した本実施形態に係る、実装端子１０７からデータ線駆動回路１４０及びサンプリング回路１５０までの配線レイアウトを示している。
【００８９】
実装端子１０７に入力される６系列の画像信号ＶＩＤ１〜６は、夫々ＲＧＢの３サブピクセルの画像信号を含む。即ち、画像信号は、総計で１８個のパラレルな画像信号ＶＩＤ１−Ｒ，ＶＩＤ１−Ｇ，ＶＩＤ１−Ｂ，ＶＩＤ２−Ｒ，…，ＶＩＤ６−Ｇ，ＶＩＤ６−Ｂからなり、１８個の実装端子１０７から外部入力され、１８本の画像信号線からなる配線部１０を介して素子基板１０１上を伝送される。図１に示すように、実装端子１０７には、画像信号の他に、電源電圧ＶＤＤＸ、イネーブル信号ＥＮＢ１〜４、クロックＣＬＸ及びその反転信号ＣＬＸINV等が入力されており、これらの信号はデータ線駆動回路１４０に供給されている。更に、本実施の形態においては、各系列の３つのサブピクセルの画像信号が入力される３つの実装端子から夫々構成される複数の実装端子群の相互間の実装端子には、電源電圧ＶＳＳＸが供給されるようになっている。電源電圧ＶＳＳＸは、データ線駆動回路１４０の低電位レベルの電源電圧（基準電圧）である。
【００９０】
実装端子１０７は、図３及び図４に示すように、パネルの端辺に整列して配置されている。この実装端子１０７には配線部１０の各配線が夫々接続される。配線部１０の各配線は、実装端子１０７が配置されたパネルの端辺に直交してデータ線駆動回路１４０側に延び、データ線駆動回路１４０の長手方向（走査線１１２方向）に屈曲し、データ線駆動回路１４０の長辺に沿って配線される。これらの信号線の束によって、本線部１１が構成さる。
【００９１】
本線部１１の各配線（以下、本線という）１１ａは、データ線駆動回路１４０の角部で屈曲し短辺に沿って配線され、更に、データ線駆動回路１４０とサンプリング回路１５０との間の領域に向けて屈曲して、これらの回路相互間において長辺に沿って配線される。
【００９２】
１データ系列を構成する３つのサブピクセルの画像信号は、本発明に係る「信号配線群」の一例としての、相互に隣接した３つの配線（信号配線）によって伝送される。本実施の形態においては、３つのサブピクセルの画像信号からなる１データ系列の画像信号を伝送する３つの配線毎に、電源電圧ＶＳＳＸが印加されている配線がシールド線１６として配置されている。シールド線１６は本線部１１の最外部にも配線され、終端は連結されて終端部１９を構成する。
【００９３】
なお、各配線に対するデータの印加方法は、駆動方法に応じて変化させてもよい。
【００９４】
画像信号を伝送する本線部１１の各本線１１ａには、サンプリング回路１５０に向けて各中継配線１２が接続されている。信号用中継配線である各中継配線１２は、夫々対応する信号用引き出し配線である引き出し配線１３ｓを介してサンプリング回路１５０の対応するスイッチ１５１に接続される。なお、図１ではサンプリング回路１５０の各要素は図示しておらず、サンプリングタイミングを決定するスイッチ１５１のみを示してある。
【００９５】
図１では、液晶パネル１００の水平方向の画素数として、６×ｎ画素（＝１８×ｎサブピクセル）の例を示している。即ち、画像信号ＶＩＤ１−Ｒ，ＶＩＤ１−Ｇ，ＶＩＤ１−Ｂ，ＶＩＤ２−Ｒ，…，ＶＩＤ６−Ｇ，ＶＩＤ６−Ｂを伝送する本線部１１の１８本の本線１１ａは、夫々、各ブロックで１８本の中継配線１２に接続されており、更に、各中継配線１２は各ブロックで１８本の引き出し配線１３ｓに接続される。引き出し配線１３ｓは各ブロックで１８個のスイッチ１５１に接続される。
【００９６】
本実施の形態においては、本線部１１において、ブロックの各データ系列毎にシールド線１６を配線するだけでなく、各データ系列に対応する、本発明に係る「分岐配線群」の一例としての、３本の引き出し配線１３ｓ毎に、夫々シールド用引き出し配線である引き出し配線１３ｎ（シールド線１３ｎともいう）を配線するようになっている。即ち、本線部１１のサンプリングホールド回路１５０側の最外部に配線されたシールド線１６は、各データ系列の境界部分において、データ線１１４方向に分岐し、１データ系列を伝送する３本の引き出し配線１３ｓ毎に、この引き出し配線１３ｓに沿ってサンプリングホールド回路１５０までの間（引き出し配線部）に延設されて、シールド線１３ｎを構成する。
【００９７】
データ線駆動回路１４０は、各ブロック毎に共通のサンプリング信号Ｑ１，Ｑ２，…，Ｑｎを夫々ブロック内のスイッチ１５１に出力する。即ち、本実施形態では、６系列であり且つ合計１８個である画像信号ＶＩＤ１−Ｒ，ＶＩＤ１−Ｇ，ＶＩＤ１−Ｂ，ＶＩＤ２−Ｒ，…，ＶＩＤ６−Ｇ，ＶＩＤ６−Ｂを、１８本のデータ線へ同時に書き込むように構成されている。本実施の形態においては、サンプリング信号Ｑ１，Ｑ２，…，Ｑｎを伝送する配線についても、引き出し配線部においてシールド線１３ｎで他の信号線と区画するようになっている。
【００９８】
なお、サンプリング回路１５０は、各データ線に接続されたスイッチ１５１がサンプリング信号によってオンとなり、引き出し配線１３ｓを介して伝送された画像信号を対応するデータを介してサブピクセル１１９に書き込みを行うようになっている。
【００９９】
図５は、本実施形態に係る、本線、中継配線及び引き出し配線のレイアウトを説明するための平面図である。図６は、図５のＢ−Ｂ'断面図である。尚、本実施形態に係る電気光学装置は、半導体装置と同様の製膜技術、パターニング技術等によって製造可能である。尚、本実施形態では、中継配線及び引き出し配線の総称として、本線部から分岐した配線という意味で「分岐配線」或いは「分岐配線部」と適宜称する。
【０１００】
図５及び図６に示すように、本線部１１の各本線１１ａは、コンタクト（コンタクトホール）１４を介して中継配線１２に接続されている。即ち、基板２１上には絶縁膜２２が形成されており、この絶縁膜２２上に、本線部１１のシールド線１６を含む各本線１１ａ、画像信号供給用の引き出し配線１３ｓ（図５及び図６参照）、及びシールド線１６から引き出されたシールド用引き出し配線１３ｎ（図５参照）が、パターン形成されている。図６では各本線１１ａに印加される信号についても、カッコ内にＶＩＤ６−Ｂ…のように示してある。本線部１１が形成された層上には層間絶縁膜２３を介して中継配線１２を含む層が形成されている。各中継配線１２は、夫々対応するコンタクト（コンタクトホール）１４を介して下層の本線１１ａに接続されており、図５に示すように、本線１１ａに直交する方向に延びている。各中継配線１２は、引き出し配線部に形成されたコンタクト１５を介して下層の対応する引き出し配線１３ｓに接続される。
【０１０１】
図６ではサブピクセルの画像信号ＶＩＤ５−Ｂを伝送する本線１１ａがコンタクト１４、中継配線１２及びコンタクト１５を介して、同層に形成された引き出し配線１３ｓに接続されていることを示している。画像信号を伝送する他の本線１１ａについても、図６と同様の構成である。
【０１０２】
更に、本実施の形態においては、本線部１１の最外部に配線されたシールド線１６は、１データ系列を伝送する３本の引き出し配線１３ｓ相互間の位置において、サンプルホールド回路１５０側に分岐されて引き出し配線１３ｎを構成する（図１及び図５参照）。即ち、引き出し配線１３ｎは、本発明に係る「分岐配線群」の一例としての、１データ系列の引き出し配線１３ｓ毎に、引き出し配線１３ｓに沿って設けられる。加えて図５に示したように、サンプリング信号Ｑ１，Ｑ２，…，Ｑｎが供給されるサンプリング信号線１５１ｓについても、その両側にも、引き出し配線１３ｎが設けられており、電磁シールドされている。これにより、サンプリング信号Ｑ１，Ｑ２，…，Ｑｎに対するノイズを低減でき、或いはサンプリング信号Ｑ１，Ｑ２，…，Ｑｎからのノイズを低減できる。
【０１０３】
このように構成された実施の形態においては、本線部１１及びこの本線部１１に直交する方向に延設された引き出し配線部において、相展開の１データ系列毎にシールド線として、シールド線１６及び引き出し配線１３ｎを配線している。これにより、各データ系列の画像信号が他のデータ系列の画像信号の影響によって劣化することを防止することができる。また、全配線間にシールド線を配線すると、ノイズ防止の点からは優れているが、配線数が増大しカラー表示を行う相展開駆動においては得策ではない。本実施の形態は、配線数の増大を抑制しつつ、効果的にノイズ除去を可能にするように、各データ系列毎にシールド線を挿入しており、効果的なノイズ除去が可能である。
【０１０４】
特に、本線部からサンプリング回路１５０までの間（引き出し配線部）は、素子基板１０１と対向基板１０２とを貼り合わせるためのシール材１０３（図４参照）を配置する領域であり、比較的長い距離を有することから、引き出し配線部において１データ系列毎に配線されたシールド線は、ノイズ除去の観点から極めて有効である。また、本線部及び引き出し配線部において、シールド線は、画像信号を伝送する配線と同層に形成されており、信号配線との距離が比較的近いので、高いシールド効果を得ることができる。
【０１０５】
例えば、サンプリング回路１５０を、図４に示したシール材１０４が配置されたシール領域よりも、画像表示領域に近い側に（例えば、額縁遮光膜の形成された領域内に）配置すると共に、シールド線１３ｎを、引き出し配線１３ｓと平行に該シール領域中を少なくとも途中まで通過するように比較的長めに形成してもよい。
【０１０６】
（第２の実施形態）
次に、第２の実施形態について図７から図９を参照して説明する。図７乃至図９は本発明の第２の実施の形態に係り、図７は第２の実施の形態に係る電気光学装置に採用される、図１と同趣旨の配線レイアウトを示す説明図である。図８は第２の実施の形態における本線、中継配線及び引き出し配線のレイアウトを説明するための、図５と同趣旨の平面図である。また、図９は図８のＣ−Ｃ'断面図である。図７乃至図９において夫々図１、図５及び図６と同一の構成要素には同一符号を付して説明を省略する。本実施の形態は、本線１１aから分岐する、信号用中継配線としての中継配線１２の各々に沿ってシールド線を設けた点が第１の実施の形態と異なる。
【０１０７】
第１の実施の形態においては、画像信号を伝送する本線１１ａと引き出し配線１３ｓとの間のみを中継配線１２によって接続する構成としている。これに対し、本実施の形態においては、図７乃至図９に示すように、本線部１１の最外部以外のシールド線１６と、本線部１１の最外部のシールド線１６とをシールド用中継配線である中継配線１２ｎによって接続するようになっている。
【０１０８】
図８及び図９に示すように、本線部１１の画像信号を伝送する本線１１ａは、コンタクト１４を介して中継配線１２に接続されている。中継配線１２はコンタクト１５を介して引き出し配線１３ｓに接続されている。
【０１０９】
更に、本実施の形態においては、図８及び図９に示すように、本線部１１の最外部以外のシールド線１６は、コンタクト（コンタクトホール）２５を介して中継配線１２ｎに接続されている。中継配線１２ｎは、１データ系列のサブピクセル画像信号を伝送する中継配線１２相互を区画するように配線されており、各データ系列相互間でのノイズ除去効果が高い。中継配線１２ｎは、コンタクト（コンタクトホール）２６を介して本線部１１の最外部のシールド線１６に接続される。本線部１１の最外部のシールド線１６が引き出し配線１３ｎに接続される点は第１の実施の形態と同様である。
【０１１０】
図９に示すように、絶縁膜２２上に本線部１１のシールド線１６を含む各本線１１ａ及び引き出し配線１３ｓ，１３ｎがパターン形成されている。本実施の形態においては、本線部１１が形成された層上には層間絶縁膜２３を介して中継配線１２だけでなく中継配線１２ｎを含む層も形成されている。画像信号を伝送する中継配線１２の位置においては、図６と同様に、中継配線１２は、夫々対応するコンタクト１４を介して下層の本線１１ａに接続されると共に、引き出し配線部に形成されたコンタクト１５を介して下層の対応する引き出し配線１３ｓに接続される。
【０１１１】
一方、本実施の形態においては、電源電圧ＶＳＳＸが印加される中継配線１２ｎの位置においては、中継配線１２ｎは、夫々対応するコンタクト２５を介して下層の本線部１１の最外部以外のシールド線１６に接続されると共に、引き出し配線部に形成されたコンタクト２６を介して本線部１１の最外部のシールド線１６に接続される。
【０１１２】
図９では画像信号ＶＩＤ１−Ｂに隣接するシールド線１６がコンタクト２５、中継配線１２ｎ及びコンタクト２６を介して、同層に形成された最外部のシールド線１６に接続され、更に、このシールド線が引き出し配線１３ｎとして、サンプルホールド回路１５０側に延設されていることを示している。
【０１１３】
このように構成された実施の形態においては、第１の実施の形態と同様の効果が得られると共に、本線部を含む層上の中継配線を伝送する層においても、本発明に係る「分岐配線群」の一例としての、１データ系列の３つの画像信号を伝送する中継配線毎にシールド配線を形成しており、ノイズ抑制効果を一層向上させることができる。
【０１１４】
なお、上記実施の形態においては電気光学材料としては液晶を採用した例を説明したが、本発明は、エレクトロルミネッセンス素子などを用いて、その電気光学効果により表示を行う表示装置にも適用可能である。すなわち、本発明は、上述した液晶装置と類似の構成を有するすべての電気光学装置に適用可能である。
【０１１５】
（第３の実施形態）
次に、第３の実施形態について図１０を参照して説明する。図１０は、第３の実施形態における本線、中継配線及び引き出し配線のレイアウトを説明するための、図５と同趣旨の平面図である。図１０において図５と同一の構成要素には同一符号を付して説明を省略する。本実施の形態は、本線部及び分岐配線部におけるＲＧＢ別の配線の配列順序に特徴があり、その他の構成については、図１から図６に示した第１の実施形態の場合と同様である。
【０１１６】
即ち図１０に示すように、本線部については、シールド線１６を挟んでＲ用の本線１１a同士が相隣接するか又はＢ用の本線１１a同士が相隣接するように、本発明に係る「信号配線群」の一例としての同一画素に係る３本の本線１１aの順番が、群毎に交互に逆順になるように構成されている。更に、分岐配線部及び引き出し配線部についても、シールド線としての引き出し配線１３ｎを挟んでＲ用の引き出し配線１３ｓ同士が相隣接するか又はＢ用の引き出し配線１３ｓ同士が相隣接するように、本発明に係る「分岐配線群」の一例としての同一画素に係る３本の引き出し配線１３ｓの順番が、群毎に交互に逆順になるように構成されている。
【０１１７】
ここで異なる画素に係る画像信号であっても、同一色の画像信号同士であれば、相互の電磁ノイズによる悪影響は、視覚上で相対的に顕在化し難い。従って第３の実施形態によれば、電磁ノイズの悪影響を効率的に低減できる。
【０１１８】
（第４の実施形態）
次に、第４の実施形態について図１１を参照して説明する。図１１は、第４の実施形態における図５のＢ−Ｂ'断面図である。図１１において図５及び図６と同一の構成要素には同一符号を付して説明を省略する。本実施の形態は、中継配線の積層位置に特徴があり、その他の構成については、図１から図６に示した第１の実施形態の場合と同様である。
【０１１９】
即ち図１１に示すように、第４の実施形態では、中継配線１２ｄは層間絶縁膜２２の下層側に形成されており、コンタクト（コンタクトホール）１４ｄ及び１５ｄを介して本線１１aから本線１１aの下層側を通って、引き出し配線１３sに至っている。
【０１２０】
従って、第４実施形態によれば、層間絶縁膜２３上に、他の各種配線、電極、電子素子、配向膜、液晶等を配置する場合に、中継配線１２ｄの存在が邪魔にならないので、実用上大変有利である。
【０１２１】
（電子機器）
次に、上述した液晶装置を各種の電子機器に適用される場合について図１２及び図１３を参照して説明する。
【０１２２】
液晶装置を、モバイル型のパーソナルコンピュータに適用した例について説明する。図１２は、このパーソナルコンピュータの構成を示す斜視図である。図１２において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【０１２３】
さらに、液晶装置を、携帯電話に適用した例について説明する。図１３は、この携帯電話の構成を示す斜視図である。図１３において、携帯電話１３００は、複数の操作ボタン１３０２とともに、反射型の液晶装置１００５を備えるものである。この反射型の液晶装置１００５にあっては、必要に応じてその前面にフロントライトが設けられる。
【０１２４】
尚、図１２及び図１３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１２５】
なお、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＬＰ（Digital Light Processing 別名ＤＭＤ：Digital Micromirror Device）等の各種の電気光学装置においても本発明を同様に適用することが可能である。
【０１２６】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【０１２７】
【図１】本発明の第１の実施の形態に係る電気光学装置に採用される配線レイアウトを示す説明図。
【図２】本実施の形態の電気光学装置の構成を示すブロック図。
【図３】図２中の液晶パネル１００の構成を示す斜視図。
【図４】図３のＡ−Ａ'断面図。
【図５】本線、中継配線及び引き出し配線のレイアウトを説明するための平面図。
【図６】図５のＢ−Ｂ'断面図。図。
【図７】本発明の第２の実施の形態に係る電気光学装置に採用される配線レイアウトを示す説明図。
【図８】第２の実施の形態における本線、中継配線及び引き出し配線のレイアウトを説明するための平面図。
【図９】図８のＣ−Ｃ'断面図。図。
【図１０】本発明の第３の実施の形態に係る電気光学装置に採用される配線レイアウトを示す説明図。
【図１１】本発明の第４の実施の形態に係る電気光学装置の配線部分の断面図。
【図１２】液晶装置を適用した電子機器の一例たるパーソナルコンピュータの構成を示す斜視図。
【図１３】液晶装置を適用した電子機器の一例たる携帯電話の構成を示す斜視図。
【符号の説明】
【０１２８】
１０…配線、１１…本線部、１２…中継配線、１３ｎ，１３ｓ…引き出し配線、１６
…シールド線、１０７…実装端子、１４０…データ線駆動回路、１５０…サンプリング回
路。
【図１】
2006030960.tif 000003
【図２】
2006030960.tif 000004
【図３】
2006030960.tif 000005
【図４】
2006030960.tif 000006
【図５】
2006030960.tif 000007
【図６】
2006030960.tif 000008
【図７】
2006030960.tif 000009
【図８】
2006030960.tif 000010
【図９】
2006030960.tif 000011
【図１０】
2006030960.tif 000012
【図１１】
2006030960.tif 000013
【図１２】
2006030960.tif 000014
【図１３】
2006030960.tif 000015